(57)【要約】  苗切断装置は、接木用の苗の茎の一部を挟持する開閉可能な一対のアーム(２１１，２１２)と、上記茎の上記一部に対して進退可能に設けられた刃(１１１)とを備えている。一対のアーム(２１１，２１２)の少なくとも一方は、刃(１１１)が進退する方向に沿ってアーム(２１１，２１２)の一部を貫通する貫通孔(２１０)または切り欠きを有する。貫通孔(２１０)または切り欠きは、上記茎の上記一部に少なくとも一部が対向すると共に、刃(１１１)の少なくとも一部が通る。
2016084867.tif 000002
【特許請求の範囲】
【請求項１】
接木用の苗の茎の一部を挟持する開閉可能な一対のアームと、
上記茎の上記一部に対して進退可能に設けられると共に、上記茎を切断する刃と
を備え、
上記一対のアームの少なくとも一方は、上記刃が進退する方向に沿って上記アームの一部を貫通する貫通孔または切り欠きを有し、
上記貫通孔または切り欠きは、上記茎の上記一部に少なくとも一部が対向すると共に、上記刃の少なくとも一部が通ることを特徴とする苗切断装置。
【請求項２】
請求項１に記載の苗切断装置において、
上記貫通孔または切り欠きは、上記アームの上記茎を挟持する挟持面から、上記アームの上記挟持面に対して反対側の面まで延在していることを特徴とする苗切断装置。
【請求項３】
請求項１または２に記載の苗切断装置において、
上記刃が進退する方向から見たとき、上記貫通孔の形状は、上記刃の形状と略同一であることを特徴とする苗切断装置。
【請求項４】
請求項１から３のいずれか一つに記載の苗切断装置において、
上記刃が進退する方向から見たとき、上記刃は、ｙ字状に形成されていることを特徴とする苗切断装置。
【請求項５】
請求項１から４のいずれか一つに記載の苗切断装置を備えることを特徴とする接木装置。
【発明の詳細な説明】
【技術分野】
【０００１】
本発明は、苗切断装置およびこの苗切断装置を有する接木装置に関する。
【背景技術】
【０００２】
従来、苗切断装置としては、特開平９−１０７７９６号（特許文献１）に記載されているものがある。この苗切断装置は、接木用の苗を切断する切断装置と、上記苗を把持する把持具とを備えている。苗の茎の一部は、把持具によって把持され、苗の茎の把持具によって把持されていない部分が、切断装置によって切断される。【０００３】
しかしながら、上記従来の苗切断装置では、切断装置によって上記茎を切断するとき、苗の茎の剛性が低い場合には把持具によって把持されていない茎の一部が切断装置によって変形する。このため、茎を切断する位置や茎の切断面の形状にばらつきが生じてしまうという問題がある。
【先行技術文献】
【特許文献】
【０００４】
【特許文献１】特開平９−１０７７９６号公報
【発明の概要】
【発明が解決しようとする課題】
【０００５】
そこで、本発明の課題は、接木用の苗の茎を切断する位置や茎の切断面の形状を一定にできる苗切断装置を提供することにある。【０００６】
また、本発明の課題は、上記苗切断装置を備える接木装置を提供することにある。
【課題を解決するための手段】
【０００７】
上記課題を解決するため、本発明の苗切断装置は、
接木用の苗の茎の一部を挟持する開閉可能な一対のアームと、
上記茎の上記一部に対して進退可能に設けられると共に、上記茎を切断する刃と
を備え、
上記一対のアームの少なくとも一方は、上記刃が進退する方向に沿って上記アームの一部を貫通する貫通孔または切り欠きを有し、
上記貫通孔または切り欠きは、上記茎の上記一部に少なくとも一部が対向すると共に、上記刃の少なくとも一部が通ることを特徴としている。【０００８】
上記構成によれば、上記貫通孔または切り欠きの少なくとも一部は、上記茎の上記一部に対向し、この貫通孔または切り欠き内を刃が通って茎を切断する。このため、上記刃は、一対のアームによって挟持され、固定された茎の一部を切断するので、茎の剛性に応じて茎が変形し、茎の切断位置や茎の切断面形状にばらつきが生じるのを防止できる。したがって、上記切断位置や上記切断面形状を一定にできる。【０００９】
一実施形態の苗切断装置では、
上記貫通孔または切り欠きは、上記アームの上記茎を挟持する挟持面から、上記アームの上記挟持面に対して反対側の面まで延在している。【００１０】
上記実施形態によれば、上記貫通孔または切り欠きは、上記挟持面から、上記挟持面に対して反対側の面まで延在している。このため、貫通孔は、一対のアームの一方に独立して形成されるので、例えば上記茎の大きさが大きくて、一対のアームが茎を挟持する位置が変わっても、貫通孔によって形成される上記刃の通過経路の位置および形状は変わらない。したがって、上記切断位置や上記切断面形状をより確実に一定にできる。
別の言い方をすると、上記貫通孔または切り欠きは、上記挟持面から、上記挟持面に対して反対側の面まで延在しているので、上記一対のアームの一方に形成した貫通孔または切り欠きだけで、刃の全部が通過可能な通路を画定できる。その結果、例えば、一対のアームが太い茎の一部を挟持することで、一対のアーム間の距離が広がっても、上記通路の形状は変化しない。したがって、上記茎の太さが変わっても、刃を茎に確実に到達させることができる。【００１１】
一実施形態の苗切断装置では、
上記刃が進退する方向から見たとき、上記貫通孔の形状は、上記刃の形状と略同一である。【００１２】
上記実施形態によれば、上記刃が進退する方向から見たとき、上記貫通孔の形状は、刃の形状と略同一なので、貫通孔内を刃が通るとき、貫通孔が刃をガイドできる。したがって、刃が大きく変形するのを防止できる。【００１３】
一実施形態の苗切断装置では、
上記刃が進退する方向から見たとき、上記刃は、ｙ字状に形成されている。【００１４】
上記実施形態によれば、上記刃が進退する方向から見たとき、刃は、ｙ字状に形成されている。このため、例えば接木の活着率を向上させるために台木用の苗の茎の切断面をｙ字状にする場合、上記刃が茎を１回切断するだけでよく、簡単かつ確実に茎の切断面をｙ字状に形成できる。【００１５】
また、本発明の接木装置は、
上記苗切断装置を備えることを特徴としている。【００１６】
上記構成の接木装置によれば、上記苗切断装置を備えるから、この苗切断装置によって、穂木苗や台木苗の茎を切断することにより、穂木苗や台木苗の茎の切断位置や上記茎の切断面形状にばらつきが生じるのを防止でき、上記切断位置や切断面形状を一定にできる。したがって、穂木苗の切断面と台木苗の切断面とを簡単かつ確実に一致させることができ、穂木苗と台木苗との接木の活着率を向上できる。
【発明の効果】
【００１７】
本発明の苗切断装置および接木装置によれば、挟持された接木用の苗の茎の一部を切断するので、茎の切断位置や茎の切断面形状を一定にできる。
【図面の簡単な説明】
【００１８】
【図１】本発明の一実施形態の接木装置の概略斜視図である。
【図２】上記接木装置の切断部およびその近傍を拡大して示す概略斜視図である。
【図３】上記接木装置の刃が接木用の苗の茎を切断したときの状態を示す概略斜視図である。
【図４】上記接木装置の穂木クリップおよび穂木移動クリップによって穂木苗を挟持すると共に、台木クリップおよび台木挟持クリップによって台木苗を挟持している状態を説明する模式図である。
【図５】穂木苗および台木苗を切断する動作を説明する模式図である。
【図６】上記穂木クリップと上記穂木移動クリップとを移動させ、穂木苗の切断面と台木苗の切断面とを一致させる動作を説明する模式図である。
【図７】穂木苗と台木苗とを接合した状態を説明する模式図である。
【図８】上記台木クリップの動作を説明する模式図である。
【図９】穂木苗と台木苗との接合部に把持具を取り付けた状態を説明する模式図である。
【図１０】上記穂木クリップの貫通孔の変形例を示す概略斜視図である。
【図１１】図１０の平面図である。
【図１２】上記変形例の貫通孔に上記刃を挿通して茎を切断したときの状態を示す模式図である。
【図１３】上記穂木クリップのアーム部の変形例を説明するための模式平面図である。
【図１４】図１３のＡ−Ａ矢視図である。
【図１５】上記穂木クリップのアーム部の別の変形例を説明するための模式平面図である。
【図１６】図１５のＢ−Ｂ矢視図である。
【発明を実施するための形態】
【００１９】
以下、本発明を図示の実施形態により詳細に説明する。
【００２０】
図１は、本発明の一実施形態の接木装置の概略斜視図を示している。
【００２１】
図１に示すように、この接木装置は、切断部１と、穂木クリップ２と、台木クリップ３と、苗移動部４とを備えている。ここで、切断部１、穂木クリップ２および台木クリップ３によって、苗切断装置を構成している。
【００２２】
穂木クリップ２は、図示しないエアシリンダによりＹ方向に移動可能に設けられている。穂木クリップ２は、穂木苗５１の茎の一部を挟持するアーム部２１を有している。
【００２３】
アーム部２１は、Ｙ方向に互いに平行に延在する２本の略直方体形状のアーム２１１，２１２を有している。アーム２１１，２１２は、Ｘ方向に順番に並んで配置されると共に、それぞれ図示しないエアシリンダによりＸ方向に移動可能に設けられている。アーム２１１，２１２がＸ方向に移動することにより、アーム２１１，２１２は、開閉可能になっている。すなわち、Ｘ方向はアーム２１１，２１２の開閉方向である。アーム２１１，２１２は、穂木苗５１の茎の一部を側方から、すなわちＸ方向から挟持するようになっている。アーム２１１，２１２のＹ方向の一端部には、それぞれ貫通孔２１０が形成されている。なお、一対のアーム２１１，２１２は、本発明の一対のアームの一例である。また、貫通孔２１０は、本発明の貫通孔の一例である。
【００２４】
アーム２１１の貫通孔２１０は、アーム２１１の穂木苗５１の茎を挟持する挟持面から、この挟持面に対してＸ方向の反対側の面までＸ方向に延在する貫通孔である。また、アーム２１２の貫通孔２１０は、アーム２１２の穂木苗５１の茎を挟持する挟持面から、この挟持面に対してＸ方向の反対側の面までＸ方向に延在する貫通孔である。貫通孔２１０は、Ｘ方向から見たとき、Ｖ字状に形成されている。すなわち、貫通孔２１０をＸ方向から見た形状は、穂木苗５１の切断形状と相似する。貫通孔２１０の一部は、穂木苗５１の茎のうちアーム部２１によって挟持された部分に対向している。
【００２５】
台木クリップ３は、図示しないエアシリンダによりＹ方向に移動可能に設けられている。台木クリップ３は、台木苗５２の茎の一部を挟持するアーム部３１を有している。
【００２６】
アーム部３１は、Ｙ方向に互いに平行に延在する２本の略直方体形状のアーム３１１，３１２を有している。アーム３１１，３１２は、Ｘ方向に順番に並んで配置されると共に、それぞれ図示しないエアシリンダによってＸ方向に移動可能に設けられている。アーム３１１，３１２がＸ方向に移動することにより、アーム３１１，３１２は、開閉可能になっている。すなわち、Ｘ方向はアーム３１１，３１２の開閉方向である。アーム３１１，３１２は、台木苗５２の茎の一部を側方から、すなわちＸ方向から挟持するようになっている。アーム３１１，３１２のＹ方向の一端部には、それぞれ貫通孔３１０が形成されている。なお、一対のアーム３１１，３１２は、本発明の一対のアームの一例である。また、貫通孔３１０は、本発明の貫通孔の一例である。
【００２７】
アーム３１１の貫通孔３１０は、アーム３１１の台木苗５２の茎を挟持する挟持面から、この挟持面に対してＸ方向の反対側の面までＸ方向に延在する貫通孔である。また、アーム３１２の貫通孔３１０は、アーム３１２の台木苗５２の茎を挟持する挟持面から、この挟持面に対してＸ方向の反対側の面までＸ方向に延在する貫通孔である。貫通孔３１０は、Ｘ方向から見たとき、Ｖ字状に形成されている。すなわち、貫通孔３１０をＸ方向から見た形状は、穂木苗５１の切断形状と相似する。貫通孔３１０の一部は、台木苗５２の茎のうち一対のアーム３１によって挟持された部分に対向している。なお、貫通孔３１０をＸ方向から見たとき、貫通孔３１０の各部の幅(Ｖ字の線の太さに相当する幅)は、貫通孔３１０内に刃１１１を挿入できるように、刃１１１の厚さよりも十分に大きくなっている。
【００２８】
苗移動部４は、穂木苗５１の茎を挟持して移動するための穂木移動クリップ６と、台木苗５２の茎を挟持するための台木挟持クリップ７とを有している。
【００２９】
穂木移動クリップ６は、穂木クリップ２の上方に位置し、図示しないエアシリンダによりＺ方向に移動可能に設けられている。穂木移動クリップ６は、穂木苗５１の茎の一部を挟持するアーム部６１を有している。
【００３０】
アーム部６１は、Ｙ方向に互いに平行に延在する２本の略直方体形状のアーム６１１，６１２を有している。アーム６１１，６１２は、Ｘ方向に順番に並んで配置されると共に、それぞれ図示しないエアシリンダによりＸ方向に移動可能に設けられている。アーム６１１，６１２がＸ方向に移動することにより、アーム６１１，６１２は、開閉可能になっている。アーム６１１，６１２は、穂木苗５１の茎の一部を側方から、すなわちＸ方向から挟持するようになっている。
【００３１】
台木挟持クリップ７は、台木クリップ３の下方に位置している。台木挟持クリップ７は、台木苗５２の茎の一部を挟持するアーム部７１を有している。
【００３２】
アーム部７１は、Ｙ方向に互いに平行に延在する２本の略直方体形状のアーム７１１，７１２を有している。アーム７１１，７１２は、Ｘ方向に順番に並んで配置されると共に、それぞれ図示しないエアシリンダによりＸ方向に移動可能に設けられている。アーム７１１，７１２がＸ方向に移動することにより、アーム７１１，７１２は、開閉可能になっている。アーム７１１，７１２は、台木苗５２の茎の一部を側方から、すなわちＸ方向から挟持するようになっている。
【００３３】
切断部１は、穂木苗５１を切断する穂木切断部１１と、台木苗５２を切断する台木切断部１２とを有している。
【００３４】
穂木切断部１１は、Ｘ方向に延在し、アーム部２１，６１の−Ｘ方向側に位置している。穂木切断部１１は、刃１１１と、エアシリンダ１１２とを有している。刃１１１は、エアシリンダ１１２によりＸ方向に移動可能に設けられている。より詳しくは、刃１１１は、穂木苗５１の茎のうちアーム部２１によって挟持された部分に対して進退可能になっている。刃１１１が進退する方向、すなわちＸ方向から見たとき、刃１１１は、Ｖ字状に形成され、アーム２１１，２１２の貫通孔２１０の形状と略同一である。なお、刃１１１は、本発明の刃の一例である。
【００３５】
台木切断部１２は、Ｘ方向に延在し、一対のアーム３１，７１の−Ｘ方向側に位置している。台木切断部１２は、刃１２１と、エアシリンダ１２２とを有している。刃１２１は、エアシリンダ１２２によりＸ方向に移動可能に設けられている。より詳しくは、刃１２１は、台木苗５２の茎のうち一対のアーム３１によって挟持された部分に対して進退可能になっている。刃１２１が進退する方向、すなわちＸ方向から見たとき、刃１２１は、ｙ字状に形成され、アーム３１１，３１２の貫通孔３１０の形状と略同一である。なお、刃１２１は、本発明の刃の一例である。
【００３６】
図２は、穂木切断部１１およびアーム部２１を拡大して示している。図３は、刃１１１がＸ方向に移動して、穂木苗５１の茎を切断したときの状態を示している。なお、図２，３において、穂木苗５１は、省略して示している。また、穂木切断部１１およびアーム部２１について以下に詳しく述べるが、台木切断部１２およびアーム部３１についても穂木切断部１１およびアーム部２１と同様である。
【００３７】
図２に示すように、穂木切断部１１は、本体部１１０と、刃取付部１１３とを有している。本体部１１０は、Ｘ方向に延在し、Ｘ方向から見たとき、上側（Ｚ方向側）が開口した略コ字状に形成されている。本体部１１０のＸ方向の一方の端面には、エアシリンダ１１２が取り付けられている。本体部１１０の内部には、刃１１１と、この刃１１１が取り付けられた刃取付部１１３とが収容されている。刃取付部１１３は、エアシリンダ１１２により刃１１１と共に本体部１１０内をＸ方向に移動可能に設けられている。
【００３８】
刃１１１は、Ｘ方向に延在し、Ｙ方向に延在するアーム部２１に対して直交している。刃１１１は、Ｘ方向から見たとき、アーム２１１，２１２に形成された貫通孔２１０の内側に位置している。刃１１１は、２枚の板状の刃からなっている。それぞれの刃は、先端、すなわち穂木苗５１の茎に向かって徐々に細くなる先細形状を有している。
【００３９】
アーム２１１のアーム２１２と対向する面には、Ｚ方向に延在する略Ｖ字状の切り欠き部２６１が形成されている。この切り欠き部２６１は、２つの平面であって穂木苗の茎を挟持する挟持面２６１Ａによって形成されている。アーム２１２のアーム２１１と対向する面には、Ｚ方向に延在する略Ｖ字状の切り欠き部２６２が形成されている。この切り欠き部２６２は、２つの平面であって穂木苗の茎を挟持する挟持面２６２Ａによって形成されている。
【００４０】
図３に示すように、刃１１１は、エアシリンダ１１２により刃取付部１１３と共にＸ方向に移動し、アーム２１１，２１２の貫通孔２１０を順次通って、穂木苗の茎を切断するようになっている。
【００４１】
上記構成の接木装置を用いて、穂木苗５１と台木苗５２とを接木する方法について、以下に詳述する。
【００４２】
図４は、穂木苗５１を穂木クリップ２と穂木移動クリップ６とが挟持し、台木苗５２を台木クリップ３と台木挟持クリップ７とが挟持している状態をＸ方向から見た模式図である。
【００４３】
まず、図４に示すように、穂木クリップ２のアーム部２１および穂木移動クリップ６のアーム部６１によって、穂木苗５１を挟持する。また、台木クリップ３のアーム部３１および台木挟持クリップ７のアーム部７１によって、台木苗５２を挟持する。
【００４４】
図５は、穂木苗５１および台木苗５２を切断するときの動作を説明する模式図である。
【００４５】
次に、図５に示すように、アーム部２１，６１によって穂木苗５１を挟持したまま、刃１１１をアーム部２１の貫通孔２１０に挿通させて穂木苗５１をＶ字形状に切断する。また、アーム部３１，７１によって台木苗５２を挟持したまま、刃１２１を一対のアーム３１の貫通孔３１０を挿通させて台木苗５２をｙ字形状に切断する。
【００４６】
図６は、アーム部２１，６１を移動させ、穂木苗５１の切断面と台木苗５２の切断面とを合わせる動作を説明する模式図である。
【００４７】
次に、図６に示すように、アーム部２１を開状態にし、アーム部２１をＹ方向すなわち穂木苗５１から退避する方向に移動させる。その後、アーム部６１をＺ方向に移動させ、アーム部６１によって挟持された穂木苗５１をアーム部３１，７１によって挟持された台木苗５２の方へ下降させて、穂木苗５１の切断面と台木苗５２の切断面とを合わせる。
【００４８】
このとき、台木苗５２の切断部は、アーム部３１によって挟持されたままである。このため、台木苗５２の切断面の位置をアーム部３１によって固定でき、台木苗５２の茎の剛性が小さいときでも、茎が曲がって、上記切断面の位置が不安定になるのを防止できる。つまり、アーム部３１がガイドの役割を果たす。したがって、穂木苗５１の切断面と台木苗５２の切断面とを簡単かつ確実に合わせることができる。
【００４９】
図７は、穂木苗５１と台木苗５２とを接合した状態を説明する模式図である。図８は、台木クリップの動作を説明する模式図である。
【００５０】
次に、図８に示すように、アーム部３１を開状態にし、アーム部３１をＹ方向すなわち穂木苗５１および台木苗５２から退避する方向に移動させる。
【００５１】
図９は、穂木苗５１と台木苗５２との接合部にクリップ８１を取り付けた状態を説明する模式図である。
【００５２】
次に、図９に示すように、穂木苗５１と台木苗５２との接合部にクリップ８１を取り付けて、穂木苗５１と台木苗５２との接木を完了する。
【００５３】
上記構成の接木装置によれば、貫通孔２１０，３１０の少なくとも一部は、アーム部１１，３１によって挟持された穂木苗５１または台木苗５２の茎の一部に対向し、これらの貫通孔２１０，３１０内を刃１１１，１２１が通って茎を切断する。このため、刃１１１，１２１は、アーム部２１１，３１によって挟持され固定された茎の一部を切断するので、茎の剛性に応じて茎が変形し、茎の切断位置や茎の切断面形状にばらつきが生じるのを防止できる。したがって、上記切断位置や切断面形状を一定にできる。
【００５４】
また、貫通孔２１０は、アーム２１１，２１２の穂木苗５１の茎を挟持する挟持面２６１Ａ，２６２Ａから、挟持面２６１Ａ，２６２Ａに対してＸ方向の反対側の面までＸ方向に延在している。また、貫通孔３１０は、アーム３１１，３１２の台木苗５２の茎を挟持する挟持面から、アーム３１１，３１２の上記挟持面に対してＸ方向の反対側の面までＸ方向に延在している。このため、貫通孔２１０，３１０は、Ｘ方向から見たとき、Ｖ字状を呈するように、各アーム２１１，２１２，３１１，３１２に独立して形成される。したがって、例えば上記茎の大きさが大きくて、各アーム２１１，２１２，３１１，３１２が茎を挟持する位置が変わっても、貫通孔２１０，３１０の形状は変わらず、刃１１１，１２１が通る通過経路の位置および形状は変わらない。したがって、上記切断位置や上記切断面形状をより確実に一定にできる。
【００５５】
また、貫通孔２１０，３１０内を刃１１１，１２１が通るとき、刃１１１，１２１の周囲の茎はアーム２１１，２１２によって固定されている。したがって、上記切断位置や上記切断面形状をより確実に一定にできる。
【００５６】
また、刃１１１，１２１が進退する方向から見たとき、貫通孔２１０，３１０の形状は、刃１１１，１２１の形状と略同一なので、貫通孔２１０，３１０内を刃１１１，１２１が通るとき、貫通孔２１０，３１０が刃１１１，１２１をガイドできる。したがって、刃１１１，１２１が大きく変形するのを防止できる。
【００５７】
また、刃１２１が進退する方向から見たとき、刃１２１は、ｙ字状に形成されている。このため、例えば接木の活着率を向上させるために台木苗５２の茎の切断面をｙ字状にする場合、刃１２１が茎を１回切断するだけでよく、簡単かつ確実に茎の切断面をｙ字状に形成できる。
【００５８】
また、上記接木装置は、上記苗切断装置を備えるから、この苗切断装置によって、穂木苗５１や台木苗５２の茎を切断することにより、穂木苗５１や台木苗５２の茎の切断位置や上記茎の切断面形状にばらつきが生じるのを防止でき、上記切断位置や切断面形状を一定にできる。したがって、穂木苗５１の切断面と台木苗５２の切断面とを簡単かつ確実に一致させることができ、穂木苗５１と台木苗５２との接木の活着率を向上できる。
【００５９】
なお、上記実施形態では、アーム部２１のアーム２１１，２１２にそれぞれ貫通孔２１０が形成されていた。また、アーム部３１のアーム３１１，３１２にそれぞれ貫通孔３１０が形成されていたが、これに限られない。貫通孔が一対のアームの少なくとも一方のアームのみに形成されていればよい。
【００６０】
また、上記実施形態では、例えばアーム２１１の貫通孔２１０は、アーム２１１の穂木苗５１の茎を挟持する挟持面から、アーム２１１の上記挟持面に対してＸ方向の反対側の面までＸ方向に延在する貫通孔であったが、これに限られない。貫通孔が、Ｘ方向以外の任意の方向に延在していてもよい。また、例えば、図１０に示すように、貫通孔２１５は、Ｙ方向に延在すると共に、２本のアーム２１１１，２１２１にまたがってＶ字形に形成されてもよい。この貫通孔２１５は、図１１に示すように、アーム２１１１の先端面２１１１Ａから切り欠き部２６１を構成する平面２６１Ａ，２６１Ｂを貫通している。また、貫通孔２１５は、アーム２１２の先端面２１１２Ａから切り欠き部２６２を構成する平面２６２Ａ，２６２Ｂを貫通している。この場合、図１２に示すように、接木用の苗の茎の径が大きく、アーム２１１１，２１２１間の距離が大きくなって、貫通孔２１５の形状がＶ字形を形成しなくなっても、刃１１１を下方に移動させることで、刃１１１を貫通孔２１５に挿通して、茎を切断できる。なお、一対のアーム２１１１，２１２１は、本発明の一対のアームの一例である。また、貫通孔２１５は、本発明の貫通孔の一例である。
【００６１】
また、図１３は、穂木クリップ２のアーム部２１の変形例を説明するための模式平面図である。図１４は、図１３のＡ−Ａ矢視図である。
【００６２】
図１３，図１４に示すように、アーム部２１のアーム２１１２，２１２２の上面にＸ方向に延在する断面Ｖ字形の切り欠き２１６が形成されている。この切り欠き２１６に沿ってＸ方向に進退可能な刃１１１１が設けられている。なお、図１３，図１４では、刃１１１１が穂木苗５１の茎を切断するときの状態を示している。なお、一対のアーム２１１２，２１２２は、本発明の一対のアームの一例である。また、切り欠き２１６は、本発明の切り欠き一例である。
【００６３】
切り欠き２１６は、アーム２１２をＸ方向に貫通している。また、切り欠き２１６は、アーム２１２２に対してＸ方向に予め定められた深さを有する有底の切り欠きである。
【００６４】
刃１１１１は、Ｘ方向から見たとき、切り欠き２１６と略同一のＶ字状に形成され、切り欠き２１６に対して、予め定められた距離だけ上方に離間して位置している。刃１１１は、２枚の板状の刃からなっていて、先端に向かって徐々に細くなる先細形状を有していたが、これに限らず、刃１１１１のように平坦な先端部を有していてもよい。
【００６５】
また、図１５は、穂木クリップ２のアーム部２１の別の変形例を説明するための模式平面図である。図１６は、図１５のＢ−Ｂ矢視図である。
【００６６】
図１５，図１６に示すように、アーム部２１のアーム２１１３，２１２３は、Ｘ方向から見たとき、Ｙ方向に開口するコ字形の切り欠き２１７が形成されている。この切り欠き２１７は、アーム２１１３，２１２３をＸ方向に貫通している。刃１１１１は、切り欠き２１７の略中央部に位置し、切り欠き２１７内をＸ方向に進退するようになっている。なお、図１５，図１６では、刃１１１１が穂木苗５１の茎を切断するときの状態を示している。なお、一対のアーム２１１３，２１２３は、本発明の一対のアームの一例である。また、切り欠き２１７は、本発明の切り欠き一例である。
【００６７】
また、上記実施形態では、貫通孔２１０，３１０は、Ｘ方向から見たとき、Ｖ字状に形成されていたが、これに限られない。貫通孔は、Ｘ方向から見たとき、ロ字状やｙ字状など、刃が通ることができれば、任意の形状でよい。例えば、貫通孔２１０，３１０の替わりに、Ｘ方向から見たときの形状が、四角形状、円形状、楕円形状などになる貫通穴を用いてもよい。このようにするとき、刃１１１の替わりに、Ｘ方向から見たときの形状がｙ字状などになる刃を用いたり、刃１２１の替わりに、Ｘ方向から見たときの形状がＶ字状などになる刃を用いたりしてもよい。なお、穂木苗５１，台木苗５２の茎の一部とアーム２１１，２１２，３１１，３１２との接触面積を多くして、穂木苗５１,台木苗５２の茎の一部がアーム２１１，２１２，３１１，３１２でしっかりと挟持されるようにする観点上、貫通孔をＸ方向から見たときの形状が、その貫通孔に挿入する刃をＸ方向から見た形状と同一または類似するようにするのが好ましい。また、上記貫通孔をＸ方向から見たときの形状が、その貫通孔に挿入する刃をＸ方向から見た形状と同一または類似するようにすることは、貫通孔に刃のガイド機能を持たせて、刃が狙いの位置から大きく外れないようにする観点からも好ましい。
【００６８】
また、上記実施形態では、Ｘ方向から見たとき、貫通孔２１０，３１０の形状は、刃１１１，１２１の形状と略同一であったが、これに限られない。貫通孔をロ字状にする一方、刃の形状をＶ字状やｙ字状など、貫通孔の形状と異なる形状にしてもよい。
【００６９】
また、上記実施形態では、刃１１１は、２枚の板状の刃によって、Ｘ方向から見たとき、Ｖ字状に形成され、刃１２１は、２枚の板状の刃によって、Ｘ方向から見たとき、ｙ字状に形成されていたが、これに限られない。刃は、Ｘ方向から見たとき、Λ字状（逆Ｖ字状）やＸ字状や円弧状など、任意の形状に形成されていてもよい。また、刃は、１枚の刃からＶ字状等に形成されていてもよい。
【００７０】
また、上記実施形態では、刃１２１は、Ｘ方向から見たとき、ｙ字状に形成され、刃１２１が茎を１回切断するだけで、茎の切断面をｙ字状に形成していたが、これに限られない。例えば、１枚の平板状の刃を、刃が進退する方向の回りに回転可能に設けることで、茎を２回切断して、茎の切断面をｙ字状に形成してもよい。
【００７１】
また、上記実施形態では、穂木クリップ２と、台木クリップ３とを備えていたが、これに限られない。例えば、１つの一対のアームが、穂木苗および台木苗を順次挟持して、穂木苗および台木苗を切断するようにしてもよい。
【００７２】
また、上記実施形態では、切断部１が、穂木苗５１を切断する穂木切断部１１と、台木苗５２を切断する台木切断部１２とを有していたが、これに限られない。例えば、１つの切断部が、穂木苗および台木苗を順次切断するようにしてもよい。
【００７３】
また、上記実施形態では、穂木クリップ２と、台木クリップ３とがエアシリンダによってＹ方向に移動可能に設けられ、苗移動部４の穂木移動クリップ６がＺ方向に移動可能に設けられていたが、これに限られない。例えば、穂木クリップと、台木クリップとが固定され、苗移動部だけが、Ｙ方向およびＺ方向など任意に移動可能に設けられていても良い。
【００７４】
また、上記実施形態では、穂木クリップ２や台木クリップ３等がエアシリンダによって移動可能に設けられていたが、これに限られない。例えば、バネなどの弾性体、電動シリンダ、油圧シリンダ、電動モータなど他の駆動機構によって移動可能に設けられていても良い。
【００７５】
また、上記実施形態では、アーム２１１，２１２，３１１，３１２がＸ方向に移動可能に設けられていたが、これに限られない。例えば、アームが回動して移動可能に設けられていても良い。
【００７６】
また、上記実施形態では、アーム２１１の切り欠き部２６１は、２つの平面からなる挟持面２６１Ａ，２６１Ｂによって形成され、アーム２１２の切り欠き部２６２は、２つの平面からなる挟持面２６２Ａ，２６２Ｂによって形成されていたが、これに限られない。例えば、挟持面が曲面で形成されていたり、凹凸面を有していたり、ローレットなどの表面加工が施されていても良い。
【００７７】
また、上記実施形態および変形例で説明した全ての構成のうちの二以上の構成を組み合わせて新たな実施形態を構築できることは、勿論である。
【００７８】
本発明の具体的な実施形態について説明したが、本発明は上記実施形態に限定されるものではなく、本発明の範囲内で種々変更して実施することができる。
【符号の説明】
【００７９】
２１，３１  アーム部
５１  穂木苗
５２  台木苗
１１１，１２１，１１１１  刃
２１０，２１５，３１０  貫通孔
２１１，２１２，３１１，３１２，２１１１，２１１２，２１１３，２１２１，２１２２，２１２３  アーム
２６１Ａ，２６１Ｂ，２６２Ａ，２６２Ｂ  挟持面
【図１】
2016084867.tif 000003
【図２】
2016084867.tif 000004
【図３】
2016084867.tif 000005
【図４】
2016084867.tif 000006
【図５】
2016084867.tif 000007
【図６】
2016084867.tif 000008
【図７】
2016084867.tif 000009
【図８】
2016084867.tif 000010
【図９】
2016084867.tif 000011
【図１０】
2016084867.tif 000012
【図１１】
2016084867.tif 000013
【図１２】
2016084867.tif 000014
【図１３】
2016084867.tif 000015
【図１４】
2016084867.tif 000016
【図１５】
2016084867.tif 000017
【図１６】
2016084867.tif 000018
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
接木用の苗の茎の一部を挟持する開閉可能な一対のアームと、
上記茎の上記一部に対して進退可能に設けられると共に、上記茎を切断する刃と
を備え、
上記一対のアームの少なくとも一方は、上記刃が進退する方向に沿って上記アームの一部を貫通する貫通孔または切り欠きを有し、
上記貫通孔または切り欠きは、上記茎の上記一部に少なくとも一部が対向すると共に、上記刃の少なくとも一部が通り、
上記刃が進退する方向から見たとき、上記刃は、ｙ字状に形成されていることを特徴とする苗切断装置。
【請求項２】
請求項１に記載の苗切断装置において、
上記貫通孔または切り欠きは、上記アームの上記茎を挟持する挟持面から、上記アームの上記挟持面に対して反対側の面まで延在していることを特徴とする苗切断装置。
【請求項３】
請求項１または２に記載の苗切断装置において、
上記刃が進退する方向から見たとき、上記貫通孔の形状は、上記刃の形状と略同一であることを特徴とする苗切断装置。
【請求項４】
（削除）
【請求項５】
請求項１から３のいずれか一つに記載の苗切断装置を備えることを特徴とする接木装置。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
接木用の苗の茎の一部を挟持する開閉可能な一対のアームと、
上記茎の上記一部に対して進退可能に設けられると共に、上記茎を切断する刃と
を備え、
上記一対のアームの少なくとも一方は、上記刃が進退する方向に沿って上記アームの一部を貫通する貫通孔または切り欠きを有し、
上記貫通孔または切り欠きの少なくとも一部は、上記アームが上記茎の一部を挟持したとき、上記茎の上記一部に対向すると共に、上記刃の少なくとも一部は上記貫通孔または切り欠きを通り、
上記刃が進退する方向から見たとき、上記刃は、ｙ字状に形成された部分を有することを特徴とする苗切断装置。
【請求項２】
請求項１に記載の苗切断装置において、
上記刃が進退する方向から見たとき、上記刃は、ｙ字状またはｘ字状に形成されていることを特徴とする苗切断装置。
【請求項３】
請求項１または２に記載の苗切断装置において、
上記貫通孔または切り欠きは、上記アームの上記茎を挟持する挟持面から、上記アームの上記挟持面に対して反対側の面まで延在していることを特徴とする苗切断装置。
【請求項４】
請求項１から３のいずれか一つに記載の苗切断装置において、
上記刃が進退する方向から見たとき、上記貫通孔の形状は、上記刃の形状と略同一であることを特徴とする苗切断装置。
【請求項５】
請求項１から４のいずれか一つに記載の苗切断装置を備えることを特徴とする接木装置。
【手続補正２】
【補正対象書類名】明細書
【補正対象項目名】０００７
【補正方法】変更
【補正の内容】
【０００７】
上記課題を解決するため、本発明の苗切断装置は、
接木用の苗の茎の一部を挟持する開閉可能な一対のアームと、
上記茎の上記一部に対して進退可能に設けられると共に、上記茎を切断する刃と
を備え、
上記一対のアームの少なくとも一方は、上記刃が進退する方向に沿って上記アームの一部を貫通する貫通孔または切り欠きを有し、
上記貫通孔または切り欠きの少なくとも一部は、上記アームが上記茎の一部を挟持したとき、上記茎の上記一部に対向すると共に、上記刃の少なくとも一部は上記貫通孔または切り欠きを通り、
上記刃が進退する方向から見たとき、上記刃は、ｙ字状に形成された部分を有することを特徴としている。
一実施形態の苗切断装置では、
上記刃が進退する方向から見たとき、上記刃は、ｙ字状またはｘ字状に形成されている。
【手続補正３】
【補正対象書類名】明細書
【補正対象項目名】００１３
【補正方法】削除
【補正の内容】
【国際調査報告】
2016084867.tif 000019
2016084867.tif 000020
2016084867.tif 000021
2016084867.tif 000022